【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】  外部データ記憶装置と接続可能な画像処理装置であって、
前記画像処理装置設置後に初期設定を行う際の設定メニューを前記外部データ記憶装置に登録されているデータに応じて変えると共に、前記外部データ記憶装置が接続されていない場合、前記初期設定を不可とする制御を行う制御手段を有することを特徴とする画像処理装置。
【請求項２】  前記外部データ記憶装置の接続の有無を検知すると共に前記外部データ記憶装置が接続される接続手段を有し、前記外部データ記憶装置は、登録データの書き換えが不可能な記憶装置であることを特徴とする請求項１記載の画像処理装置。
【請求項３】  前記制御手段は、前記外部データ記憶装置が接続されていない場合、前記画像処理装置内蔵の作業命令格納領域に書き込める命令に制限を加えることを特徴とする請求項１又は２記載の画像処理装置。
【請求項４】  前記制御手段は、前記外部データ記憶装置が接続されていない場合、システムソフトウエアの書き込み後の通常動作において、前記作業命令格納領域から読み出せる命令に制限を加えることを特徴とする請求項１乃至３の何れかに記載の画像処理装置。
【請求項５】  前記制御手段は、前記外部データ記憶装置が接続されていない場合、システムソフトウエアの書き込み後の通常動作において、前記画像処理装置内部に登録されたフォントの使用可能書体数を変えることを特徴とする請求項１乃至４の何れかに記載の画像処理装置。
【請求項６】  前記制御手段は、前記外部データ記憶装置が接続されていない場合、システムソフトウエアの書き込み後の通常動作において、前記画像処理装置内部の演算装置のクロックスピードを変えることを特徴とする請求項１乃至５の何れかに記載の画像処理装置。
【請求項７】  前記制御手段は、前記外部データ記憶装置が接続されていない場合、システムソフトウエアの書き込み後の通常動作において、前記画像処理装置を同時に使用可能なユーザ数に制限を加えることを特徴とする請求項１乃至６の何れかに記載の画像処理装置。
【請求項８】  前記制御手段は、前記外部データ記憶装置が接続されていない場合、システムソフトウエアの書き込み後の通常動作において、前記画像処理装置と接続される複写装置に対する電子ソート機能に制限を加えることを特徴とする請求項１乃至７の何れかに記載の画像処理装置。
【請求項９】  前記外部データ記憶装置は、前記画像処理装置とネットワーク接続され且つ前記画像処理装置の操作が可能な情報処理装置に接続可能であることを特徴とする請求項１乃至８の何れかに記載の画像処理装置。
【請求項１０】  前記制御手段は、前記外部データ記憶装置が接続された場合、前記外部データ記憶装置に記憶されているＭＡＣアドレスと前記接続手段上のハードウエアのＭＡＣアドレスとが一致するか否かに基づきセットアップモードへの移行を許可するか否かを決定することを特徴とする請求項１乃至９の何れかに記載の画像処理装置。
【請求項１１】  外部データ記憶装置と接続可能な画像処理装置と、該画像処理装置と接続可能な複写装置と、前記画像処理装置とネットワーク接続可能な情報処理装置とを具備してなる画像処理システムであって、
前記画像処理装置は、前記画像処理装置設置後に初期設定を行う際の設定メニューを前記外部データ記憶装置に登録されているデータに応じて変えると共に、前記外部データ記憶装置が接続されていない場合、前記初期設定を不可とする制御を行う制御手段を有することを特徴とする画像処理システム。
【請求項１２】  外部データ記憶装置と接続可能な画像処理装置に適用される画像処理装置使用制限方法であって、
前記画像処理装置設置後に初期設定を行う際の設定メニューを前記外部データ記憶装置に登録されているデータに応じて変えると共に、前記外部データ記憶装置が接続されていない場合、前記初期設定を不可とする制御を行う制御工程を有することを特徴とする画像処理装置使用制限方法。
【請求項１３】  外部データ記憶装置と接続可能な画像処理装置に適用される画像処理装置使用制限方法を実行するプログラムを記憶したコンピュータにより読み出し可能な記憶媒体であって、
前記画像処理装置使用制限方法は、前記画像処理装置設置後に初期設定を行う際の設定メニューを前記外部データ記憶装置に登録されているデータに応じて変えると共に、前記外部データ記憶装置が接続されていない場合、前記初期設定を不可とするように制御する制御ステップを有することを特徴とする記憶媒体。
【手続補正２】
【補正対象書類名】明細書
【補正対象項目名】０００１
【補正方法】変更
【補正の内容】
【０００１】
【発明の属する技術分野】
本発明は、画像処理装置、画像処理システム、画像処理装置使用制限方法及び記憶媒体に関する。
【手続補正３】
【補正対象書類名】明細書
【補正対象項目名】０００６
【補正方法】変更
【補正の内容】
【０００６】
本発明は、上述した点に鑑みなされたものであり、ドングル等の外部データ記憶装置を応用して画像処理装置のセキョリティを向上させることを目的とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
上記目的を達成するため、請求項１２記載の発明は、外部データ記憶装置と接続可能な画像処理装置に適用される画像処理装置使用制限方法であって、前記画像処理装置設置後に初期設定を行う際の設定メニューを前記外部データ記憶装置に登録されているデータに応じて変えると共に、前記外部データ記憶装置が接続されていない場合、前記初期設定を不可とする制御を行う制御工程を有することを特徴とする。
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】変更
【補正の内容】
【００３７】
上記目的を達成するため、請求項１３記載の発明は、外部データ記憶装置と接続可能な画像処理装置に適用される画像処理装置使用制限方法を実行するプログラムを記憶したコンピュータにより読み出し可能な記憶媒体であって、前記画像処理装置使用制限方法は、前記画像処理装置設置後に初期設定を行う際の設定メニューを前記外部データ記憶装置に登録されているデータに応じて変えると共に、前記外部データ記憶装置が接続されていない場合、前記初期設定を不可とするように制御する制御ステップを有することを特徴とする。
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】０１１４
【補正方法】変更
【補正の内容】
【０１１４】
以上説明したように、画像処理装置設置後に初期設定を行う際の設定メニューを外部データ記憶装置に登録されているデータに応じて変えると共に、外部データ記憶装置が接続されていない場合、初期設定を不可とする制御を行うものであり、画像処理装置内蔵の作業命令格納領域に書き込める命令に制限を加え、システムソフトウエアの書き込み後の通常動作において、作業命令格納領域から読み出せる命令に制限を加え、画像処理装置内部に登録されたフォントの使用可能書体数を変え、画像処理装置内部の演算装置のクロックスピードを変え、画像処理装置を同時に使用可能なユーザ数に制限を加え、画像処理装置と接続される複写装置に対する電子ソート機能に制限を加えるため、外部データ記憶装置を応用して、画像処理装置のソフトウエアの不正複製、不正使用を禁止することができ、更にユーザが簡単に画像処理装置の機能アップを行うことができ、画像処理装置の稼働率を向上させることができるという効果を奏する。
【手続補正４３】
【補正対象書類名】明細書
【補正対象項目名】０１１５
【補正方法】変更
【補正の内容】
【０１１５】
【発明の効果】
以上のように、ドングル等の外部データ記憶装置を応用して、画像処理装置のセキョリティを向上させることができる。
【手続補正４４】
【補正対象書類名】明細書
【補正対象項目名】０１１６
【補正方法】削除
【補正の内容】
【手続補正４５】
【補正対象書類名】明細書
【補正対象項目名】０１１７
【補正方法】削除
【補正の内容】